(57)【要約】【課題】媒体を損傷させることなく、媒体の方向を整列させて排出する。【解決手段】搬送機構は、排出口近傍において回転軸９０ａに保持された駆動ローラ９１と、回転軸９０ｂに保持されると共に、駆動ローラ９１との間で印画紙を挟持する圧接ローラ９４と、回転軸９０ａに保持されると共に、駆動ローラ９１と圧接ローラ９４とで挟持された印画紙に対して弾性力による押し出し力を与えるための押し出し部材９２及び９３と、排出口から排出された印画紙をその排出方向に対して交差する方向に搬送するコンベア機構とを備えている。上流側押し出し部材９３ａよりもコンベア機構での搬送方向下流側に対応した位置に、上流側押し出し部材９２ａが配置され、且つ、下流側押し出し部材９３ｂよりもコンベア機構での搬送方向下流側に対応した位置に、下流側押し出し部材９２ｂが配置されている。そして、押し出し部材９２の押し出し力は、押し出し部材９２の押し出し力よりも大きい。【選択図】図６
2009107793.tif 000002
【特許請求の範囲】
【請求項１】
媒体を排出口から排出すると共にその排出口から排出された前記媒体を所定の箇所まで搬送する搬送機構であって、
前記排出口近傍において第１の回転軸に保持された第１の搬送ローラと、
第２の回転軸に保持されると共に、前記第１の搬送ローラとの間で媒体を挟持する第２の搬送ローラと、
前記第１の回転軸に保持されると共に、前記第１の搬送ローラと前記第２の搬送ローラとで挟持された媒体に対して弾性力による押し出し力を与えるための複数の弾性羽根をそれぞれ有する複数の押し出し部材と、
前記排出口から排出された媒体をその排出方向に対して交差する方向に搬送するコンベア機構とを備え、
前記複数の押し出し部材は、
１又は複数の第１の押し出し部材と、
前記第１の押し出し部材よりも前記コンベア機構での搬送方向下流側に対応した位置に配置された１又は複数の第２の押し出し部材とを含んでおり、
前記第２の押し出し部材の押し出し力は、前記第１の押し出し部材の押し出し力よりも大きいことを特徴とする搬送機構。
【請求項２】
前記押し出し部材の押し出し力は、それに設けられた前記複数の弾性羽根と前記媒体との接触面積に応じて異なることを特徴とする請求項１に記載の搬送機構。
【請求項３】
前記押し出し部材の押し出し力は、それに設けられた前記複数の弾性羽根の密度に応じて異なることを特徴とする請求項１又は２に記載の搬送機構。
【請求項４】
前記押し出し部材の押し出し力は、それに設けられた前記複数の弾性羽根の材質に応じて異なることを特徴とする請求項１又は２に記載の搬送機構。
【発明の詳細な説明】
【技術分野】
【０００１】
本発明は、媒体を排出口から排出すると共にその排出口から排出された媒体を所定の箇所まで搬送する搬送機構に関する。
【背景技術】
【０００２】
写真処理装置では、フィルムや印画紙等の感光材料（以下、媒体とする）を搬送しながら現像、漂白定着、安定等の処理を行った後、その媒体を写真処理装置の搬送方向下流側に配置された乾燥装置に送り込む。そして、乾燥装置において、乾燥処理された媒体は、排出口から排出されてコンベア上に載置された後、当該コンベアによってソータの方向に搬送される。
【０００３】
上記した乾燥装置では、一般的に、駆動ローラと当該駆動ローラとの間で媒体を挟持する圧接ローラとにより、乾燥処理された媒体を排出口から排出している（例えば、特許文献１参照）。この特許文献１では、一対の挟持ローラ（駆動ローラ、圧接ローラ）によって搬送される媒体の乳剤面とは反対側の面を、挟持ローラの回転と共に回転する弾性羽根で押し出すことにより、媒体を確実にコンベアに搬送している。
【０００４】
しかしながら、上記特許文献１に開示されるような従来の乾燥装置では、現像処理後において乾燥処理された媒体がカールするが、このようにカールした媒体が、排出口からコンベア上に載置される際に、カールした上端部が排出口や搬送機構の構成部品に引っ掛かるなどして、コンベアで搬送されるときにコンベア上で回転することで、媒体の整列性が悪化するなどの不都合があった。
【０００５】
そこで、乾燥装置の排出口から排出される媒体をコンベア上に排出するに際し、媒体の方向を整列させる技術が提案されている（例えば、特許文献２参照）。この特許文献２では、排出口から排出される媒体におけるコンベアでの搬送方向前方側の搬出量をコンベアでの搬送方向後方側の搬出量よりも大きくする調整手段を設けることによって、媒体を傾けた状態で排出し、媒体の前方側が排出口や搬送機構の構成部品に引っ掛からないようにして、媒体がコンベア上で回転しないようにしている。
【特許文献１】特開２００２−１８２３６１号公報
【特許文献２】特開２００５−８３７３号公報
【発明の開示】
【発明が解決しようとする課題】
【０００６】
ところが、上記特許文献２に開示された乾燥装置では、１枚の媒体に対して前方側と後方側とで加わる搬出力を変えることで、媒体を傾けた状態で排出しているため、媒体が損傷してしまうという問題がある。
【０００７】
そこで、本発明の目的は、媒体を損傷させることなく、媒体の方向を整列させて排出することが可能な搬送機構をを提供することである。
【課題を解決するための手段及び発明の効果】
【０００８】
上記目的を達成するために、この発明の搬送機構は、媒体を排出口から排出すると共にその排出口から排出された媒体を所定の箇所まで搬送する搬送機構であって、排出口近傍において第１の回転軸に保持された第１の搬送ローラと、第２の回転軸に保持されると共に、第１の搬送ローラとの間で媒体を挟持する第２の搬送ローラと、第１の回転軸に保持されると共に、第１の搬送ローラと第２の搬送ローラとで挟持された媒体に対して弾性力による押し出し力を与えるための複数の弾性羽根をそれぞれ有する複数の押し出し部材と、排出口から排出された媒体をその排出方向に対して交差する方向に搬送するコンベア機構とを備えている。そして、複数の押し出し部材は、１又は複数の第１の押し出し部材と、第１の押し出し部材よりもコンベア機構での搬送方向下流側に対応した位置に配置された１又は複数の第２の押し出し部材とを含んでおり、第２の押し出し部材の押し出し力は、第１の押し出し部材の押し出し力よりも大きい。
【０００９】
この発明に係る搬送機構では、上記のように、第２の押し出し部材の押し出し力が第１の押し出し部材の押し出し力よりも大きいので、媒体のコンベア機構での搬送方向下流側に対応する部分に加わるモーメントが、搬送方向上流側に対応する部分に加わるモーメントより大きくなり、当該媒体を傾けた状態で排出することが可能となる。その結果、媒体の前方側が排出口や搬送機構の構成部品に引っ掛からないので、その媒体がコンベア上で回転せず、媒体の方向を整列させることができる。この際、押し出し部材の弾性羽根によって媒体に加える押し出し力を変えることで、媒体を傾けた状態で排出することができるので、媒体に与える影響が小さく、媒体が損傷するのを抑制することができる。
【００１０】
上記搬送機構においては、好ましくは、押し出し部材の押し出し力は、それに設けられた複数の弾性羽根と媒体との接触面積に応じて異なっている。したがって、第２の押し出し部材の弾性羽根と媒体との接触面積を、第１の押し出し部材の弾性羽根と媒体との接触面積より大きくすることで、容易に、第２の押し出し部材の押し出し力を、第１の押し出し部材の押し出し力よりも大きくすることができる。
【００１１】
上記搬送機構においては、好ましくは、押し出し部材の押し出し力は、それに設けられた複数の弾性羽根の密度に応じて異なっている。したがって、第２の押し出し部材の弾性羽根の密度を、第１の押し出し部材の弾性羽根の密度より大きくすることで、容易に、第２の押し出し部材の押し出し力を、第１の押し出し部材の押し出し力よりも大きくすることができる。
【００１２】
上記搬送機構においては、好ましくは、押し出し部材の押し出し力は、それに設けられた複数の弾性羽根の材質に応じて異なっている。したがって、第２の押し出し部材の弾性羽根を、第１の押し出し部材の弾性羽根より大きい弾性力を有する材質で構成することで、容易に、第２の押し出し部材の押し出し力を、第１の押し出し部材の押し出し力よりも大きくすることができる。このように弾性羽根の材質を異ならせれば、第１の押し出し部材の弾性羽根と媒体との接触面積、及び、第２の押し出し部材の弾性羽根と媒体との接触面積が同じであっても、第２の押し出し部材の押し出し力を、第１の押し出し部材の押し出し力よりも大きくすることができる。つまり、材質は異なるが同一形状の弾性羽根を用いて、第２の押し出し部材の押し出し力を、第１の押し出し部材の押し出し力よりも大きくすることができる。その結果、弾性羽根の成形が容易になる。
【発明を実施するための最良の形態】
【００１３】
以下、本発明の好適な実施の形態について、図面を参照しつつ説明する。図１は、本発明の実施の形態に係る搬送機構を搭載した乾燥部を有する写真処理装置の概略構成図である。
【００１４】
本実施の形態に係る搬送機構を搭載した乾燥部を有する写真処理装置１は、図１に示すように、レーザビームによるデジタル走査露光方式が採用された写真処理装置であって、画像入力部２０と、プリント部５０と、乾燥部６０とを備えている。
【００１５】
画像入力部２０では、現像されたフィルムの各コマに記録された画像の読み取り処理及び読み取られた画像データに対するデジタル変換処理、フラッシュメモリ等の画像記録媒体に記録されたデジタル画像データの読み取り処理などの各種処理が行われ、読み取られた画像データがプリント部５０に送信される。プリント部５０では、画像入力部２０から受信した画像データに基づいて、主に印画紙（媒体）２に対して露光処理、現像処理、漂白定着処理等の処理が施され、乾燥部６０に送られる。乾燥部６０では、プリント部５０から排出された印画紙２に対して乾燥処理が施され、排出口から排出された印画紙２がオーダーごとに仕分けられる。
【００１６】
画像入力部２０は、図１に示すように、モニタ２１と、キーボード２２と、マウス２３と、コンピュータユニット３０と、スキャナ４０とを有している。
【００１７】
モニタ２１には、各種制御のためのＧＵＩ（Ｇｒａｐｈｉｃａｌ  Ｕｓｅｒ  Ｉｎｔｅｒｆａｃｅ）や処理対象の画像が表示され、写真処理装置１に関する様々な情報を表示してオペレータに告知する。キーボード２２とマウス２３とは、写真処理装置１に対する入力操作を行うために用いられる。
【００１８】
コンピュータユニット３０は、モニタ２１、キーボード２２、マウス２３と接続されており、スキャナ４０およびプリント部５０に含まれる各部の動作、および画像データの入出力等の制御を行い、メモリカード、ＣＤ−Ｒ等の画像記録媒体に収納された画像データがメディアリーダ（図示せず）を介して読み取られる。
【００１９】
スキャナ４０では、現像されたフィルムの各コマに記録された画像の読み取り処理及び読み取られた画像データに対するデジタル変換処理等が行われ、読み取られた画像データはコンピュータユニット３０に送信される。
【００２０】
プリント部５０は、図１に示すように、２つの印画紙マガジン５１と、シートカッター５２と、バックプリント部５３と、プリント露光部５４と、圧接搬送ローラ対５７と、チャッカー式搬送ユニット５８と、処理槽ユニット５５と、スクイズラック５９とを有している。
【００２１】
２つの印画紙マガジン５１は、プリント部５０の内部に備えられ、ロール状の印画紙２を１個ずつ収納し、適宜必要な量の印画紙２が圧接搬送ローラ対５７によって引き出される。シートカッター５２は、印画紙マガジン５１から印画紙２を引き出す複数の圧接搬送ローラ対５７の下流側に配置されており、印画紙マガジン５１から引き出された印画紙２を所望のプリントサイズに切断する。
【００２２】
バックプリント部５３は、シートカッター５２の下流側に配置されており、シートカッター５２で所望のプリントサイズに切断された印画紙２の裏面側に、色補正情報、及びコマ番号等のプリント処理情報を印刷する。
【００２３】
プリント露光部５４は、バックプリント部５３の下流側に配置されるチャッカー式搬送ユニット５８と隣接するように配置され、所望のプリントサイズやテスト用のプリントサイズに切断された印画紙２の表面側に、画像の露光を行う。
【００２４】
圧接搬送ローラ対５７は、プリント部５０の内部に配置される印画紙マガジン５１に収容されたロール状の印画紙２を引き出すとともに、チャッカー式搬送ユニット５８は、所望のサイズ等に切断された印画紙２を様々な処理に対応した搬送速度で搬送する。圧接搬送ローラ対５７は、２つのローラを組み合わせて構成されており、２つのローラが回転しながら印画紙２を圧接することで２つのローラ間の隙間を印画紙２が通過し下流側へと搬送される。チャッカー式搬送ユニット５８は、所望のサイズ等に切断された印画紙２の下流側（先端側）の端部をつまむようにして搬送する。
【００２５】
処理槽ユニット５５は、プリント露光部５４の下流側に配置される複数の圧接搬送ローラ対５７に隣接するように配置され、発色現像処理液を貯留する発色現像槽５５ａと、漂白定着処理液を貯留する漂白定着槽５５ｂと、安定処理液を貯留する安定処理槽５５ｃとを有している。そして、露光が行われた印画紙２が、これらの発色現像槽５５ａと、漂白定着槽５５ｂと、安定処理槽５５ｃとをこの順で経由しながら搬送されることで、所望の画像が印画紙２の表面に形成される。
【００２６】
スクイズラック５９は、処理槽ユニット５５と乾燥部６０との間に配置されており、処理槽ユニット５５の搬送中に付着した印画紙２の表面の水分を取る機能を有している。
【００２７】
乾燥部６０は、処理槽ユニット５５の下流側に配置されており、処理が行われた印画紙２を搬送する搬送部６１と、搬送部６１によって搬送される印画紙２を加熱する加熱部６２（図３参照）と、加熱部６２で乾燥された印画紙２を搬送する搬送機構８０と、搬送機構８０によって搬送された印画紙２がオーダー単位で振り分けられるためのソータ（図示せず）とを有している。本実施の形態の乾燥部６０は、処理槽ユニット５５において各種処理液に浸漬されて処理された後、スクイズラック５９を通過した印画紙２に対して、ブロワ等において発生させた温風を吹き付けて、印画紙２を乾燥させる。その後、乾燥した印画紙２は、搬送機構８０を介して、ソータの方向へ搬送される。
【００２８】
次に、写真処理装置１の乾燥部６０の概略構成について、図２〜図６を参照して説明する。図２は、図１の写真処理装置に備えられた乾燥部断面図である。図３は、図２の乾燥部におけるＡ−Ａ線断面図であり、図４は、図２の乾燥部におけるＢ−Ｂ線断面図である。図５は、乾燥部に搭載された搬送機構の平面図である。図６は、の乾燥部における挟持搬送ローラ機構を示した斜視図である。
【００２９】
搬送部６１は、図２に示すように、搬送方向上流側から搬送方向下流側に向かって、２つの搬送ローラ対６３、６４と、ターンローラ６５と、第１のローラ６６と、第２のローラ６７と、複数の搬送ローラ対７０と、ターン機構７１とを有している。
【００３０】
２つの搬送ローラ対６３、６４は、それぞれ、印画紙２の搬送経路となる隙間を隔てて配置された２つの駆動ローラから構成されている。乾燥部６０に送り込まれた印画紙２は、回転駆動される搬送ローラ対６３、６４によって、それらの搬送方向下流側のターンローラ６５へと搬送される。搬送ローラ対６３、６４の表面は、例えば発泡材、布等で覆われている。
【００３１】
ターンローラ６５は、印画紙２の搬送方向を変更して下流側に搬送するためのものであり、図２に示すように、搬送ローラ対６４の搬送方向下流側において印画紙２の搬送方向を鉛直方向上向きに変更する。また、ターンローラ６５は、第１のローラ６６及び第２のローラ６７より大きい径を有するローラであって、図示しない駆動部によって回転駆動される。乾燥部６０では、その内部にターンローラ６５を設けて印画紙２の搬送方向を変更しながら乾燥できるので、印画紙２を一方向にのみ搬送しながら乾燥処理を行う乾燥装置と比較して、乾燥装置の小型化を図ることができる。
【００３２】
第１のローラ６６は、ターンローラ６５と対となって、印画紙２の搬送方向を変化させるためのものであり、ターンローラ６５との間に搬送方向上流側から搬送される印画紙２の先端が進入する隙間が形成されるように近接して配置される。
【００３３】
第２のローラ６７は、ターンローラ６５と対となって、印画紙２の搬送方向を変化させるためのであり、第１のローラ６６よりも搬送方向下流側において、ターンローラ６５との間に搬送方向上流側から搬送される印画紙２の先端が進入する隙間が形成されるように近接して配置される。
【００３４】
複数の搬送ローラ対７０は、ターンローラ６５と第２のローラ６７との間の隙間を通過した印画紙２を鉛直方向上向きに搬送するためのものである。搬送ローラ対７０の表面は、例えば発泡材、布等で覆われている。
【００３５】
ターン機構７１は、印画紙２の搬送方向を変更して下流側へ搬送するためのものであり、複数の搬送ローラ対７０の上方において、印画紙２の搬送方向をほぼ水平方向（搬出ローラ対７３に向かう方向）に変更する。ターン機構７１は、大径のローラ７１ａと複数の小径のローラ７１ｂとを有しており、印画紙２はローラ７１ａとローラ７１ｂとのそれぞれの間の隙間を通過する。また、複数の小径のローラ７１ｂ間には、ローラ７１ａとローラ７１ｂとの間を通過した印画紙２を下流側のローラ７１ｂに案内するためにガイド片７２を有している。
【００３６】
ガイド片７２は、板状部材であり、その表面は凹凸形状に形成されている。これより、印画紙２の表面は、ガイド片７２と接触しながら滑らかに（引っ掛かることなく）搬送されるようになる。ここで、ガイド片７２の搬送方向下流側の端部は、平坦形状に形成されている。従って、印画紙２の後端部近傍が、ガイド片７２に接触して傷付くのが抑制される。
【００３７】
加熱部６２は、図３及び図４に示すように、搬送中の印画紙２を乾燥させるヒータユニット７４と、送風機７５と、加熱室７６とを有している。そして、加熱室７６と搬送部６１とは、孔開きダクト７７によって仕切られている。
【００３８】
ヒータユニット７４と送風機７５とは、乾燥部６０の一側部に並列に配置されている。ヒータユニット７４は、吸引される空気を効率よく加熱すると共に、その吸引される空気のほとんどが通過するように、送風機７５の吸引側の上流部に配置され、送風機７５と略同等の長さに形成されており、送風機７５によって吸引されるほとんどの空気を加熱して温風にできるようになっている。
【００３９】
本実施の形態の加熱部６２では、送風機７５によって、乾燥部６０内より吸引される空気がヒータユニット７４を通過して加熱され、温風となって、加熱室入口７８を通過して加熱室７６内に送られるようになっている。そして、加熱室７６内に送り込まれた温風は、孔開きダクト７７に設けられた各孔７９より搬送ローラ対７０によって上方に向かって搬送される印画紙２に向かって吹きつけられる。これによって、乾燥部６０において印画紙２は乾燥される。ここで、加熱室７６は、その縦断面積が送風機７５から遠ざかるに従って、小さくなるように形成されている。これによって、加熱室７６内の風圧が均一となり、孔開きダクト７７の孔７９を通過する温風の流量を均等にすることができる。
【００４０】
搬送機構８０は、上記した加熱部６２によって乾燥された印画紙２を、排出口６８（図２参照）から排出した後でソータの方向に搬送する。この搬送機構８０は、図５及び図６に示すように、挟持搬送ローラ機構９０と、コンベア機構５６とを備えている。そして、搬送機構８０では、挟持搬送ローラ機構９０により、標準サイズの印画紙２が２列で排出口６８を介してコンベア機構５６上に排出され、当該コンベア機構５６によりソータの方向に搬送される。なお、本実施形態の写真処理装置１では、大判の印画紙を印刷することも可能であって、この搬送機構８０では、当該大判の印画紙を１枚ずつ排出することも可能である。
【００４１】
挟持搬送ローラ機構９０は、加熱部６２によって乾燥された印画紙２を排出口６８（図２参照）からコンベア機構５６上に排出するためのものである。この挟持搬送ローラ機構９０は、排出口６８近傍において回転軸９０ａに保持された３つの駆動ローラ９１、４つの押し出し部材９２及び４つの押し出し部材９３と、回転軸９０ｂに保持される３つの圧接ローラ９４とを有している。この３つの駆動ローラ９１と３つの圧接ローラ９４とは、それぞれ対向するように配置されており、圧接ローラ９４が駆動ローラ９１に対して所定の圧力で接触して印画紙２を挟持する。
【００４２】
回転軸９０ａには、コンベア機構５６での搬送方向（Ｅ方向）上流側から搬送方向下流側に向かって順番に、２個の押し出し部材９３（以下、上流側押し出し部材９３ａとする）、２個の押し出し部材９２（以下、上流側押し出し部材９２ａとする）、２個の押し出し部材９３（以下、下流側押し出し部材９３ｂとする）、２個の押し出し部材９２（以下、下流側押し出し部材９２ｂとする）が配置されている。つまり、２個の上流側押し出し部材９３ａよりもコンベア機構５６での搬送方向下流側に対応した位置に、２個の上流側押し出し部材９２ａが配置され、且つ、２個の下流側押し出し部材９３ｂよりもコンベア機構５６での搬送方向下流側に対応した位置に、２個の下流側押し出し部材９２ｂが配置されている。
【００４３】
ここで、本実施の形態では、押し出し部材９２及び９３は、駆動ローラ９１と圧接ローラ９４とで挟持された印画紙２に対して弾性力による押し出し力を与えるために設けられている。この押し出し部材９２及び９３には、回転軸９０ａの回転方向（Ｄ方向（図６参照））後方側に傾倒する複数の弾性羽根９５及び９６がそれぞれ放射状に設けられている。この弾性羽根９５及び９６は、回転軸９０ａの回転に伴って印画紙２に押圧されて倒伏した後、印画紙２の後端が駆動ローラ９１及び圧接ローラ９４により搬送される際に徐々に復元して、その復元に伴う押し出し力で印画紙２の後端を押し出す。押し出し部材９２に設けられる弾性羽根９５の密度は、押し出し部材９３に設けられる弾性羽根９６の密度よりも大きくなっている。具体的には、押し出し部材９２には、２４枚の弾性羽根９５が設けられ、押し出し部材９３には、１２枚の弾性羽根９６が設けられている。これにより、印画紙２に対する押し出し部材９２の弾性羽根９５の接触面積が、印画紙２に対する押し出し部材９３の弾性羽根９６の接触面積より大きくなって、押し出し部材９３に比べて、押し出し部材９２が印画紙２に対して大きな押し出し力を付与することになる。
【００４４】
上記構成の挟持搬送ローラ機構９０では、排出口６８から排出される２列の印画紙２は、押し出し部材９２及び９３の作用により、印画紙２におけるコンベア機構５６での搬送方向下流側に加わる押し出し力が搬送方向上流側に加わる押し出し力よりも大きくなる。これに伴い、印画紙２のコンベア機構５６での搬送方向下流側に対応する部分に加わるモーメントが、搬送方向上流側に対応する部分に加わるモーメントよりも大きくなって、図５に示すように、印画紙２が傾斜した状態でコンベア機構５６上に載置される。また、この挟持搬送ローラ機構９０では、上記した２列の印画紙２のみならず、大判の印画紙（図示せず）も排出することが可能である。この場合でも、大判の印画紙のコンベア機構５６での搬送方向下流側に対応する部分に加わるモーメント（下流側押し出し部材９２ｂ及び９３ｂによるモーメント）が、搬送方向上流側に対応する部分に加わるモーメント（上流側押し出し部材９２ａ及び９３ａによるモーメント）よりも大きくなって、大判の印画紙が傾斜した状態でコンベア機構５６上に載置される。
【００４５】
コンベア機構５６は、プリント部５０の上方に配置され、挟持搬送ローラ機構９０によって排出口６８から排出された印画紙２を、その排出方向（Ｆ方向（図５参照））に対して直交する方向（Ｅ方向）即ちソータの方向に搬送するために設けられている。ソータは、プリント部５０の前面側の鉛直方向に配置された複数のトレイを有しており、コンベア機構５６によって搬送される印画紙２を、例えばオーダー単位で各トレイに振り分ける。
【００４６】
本実施形態では、上記のように、押し出し部材９２（上流側押し出し部材９２ａ、下流側押し出し部材９２ｂ）の押し出し力が押し出し部材９３（上流側押し出し部材９３ａ、下流側押し出し部材９３ｂ）の押し出し力よりも大きいので、印画紙２のコンベア機構５６での搬送方向下流側に対応する部分に加わるモーメントが、搬送方向上流側に対応する部分に加わるモーメントより大きくなり、当該印画紙２を傾けた状態で排出することが可能となる。その結果、印画紙２の前方側が排出口６８や乾燥部６０の構成部品に引っ掛からないので、その印画紙２がコンベア上で回転せず、印画紙２の方向を整列させることができる。この際、押し出し部材９２及び９３の弾性羽根９５及び９６によって印画紙２に加える押し出し力を変えることで、印画紙２を傾けた状態で排出することができるので、印画紙２に与える影響が小さく、印画紙２が損傷するのを抑制することができる。
【００４７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４８】
例えば、上記実施形態では、搬送機構を乾燥部に搭載する例について説明したが、本発明はこれに限らず、乾燥部以外にも搭載可能である。
【００４９】
また、上記実施形態では、コンベア機構５６での搬送方向上流側から下流側に向かって、２個の上流側押し出し部材９３ａ、２個の上流側押し出し部材９２ａ、２個の下流側押し出し部材９３ｂ、２個の下流側押し出し部材９２ｂの順に、同種の押し出し部材を２個セットにして配置する例について説明したが、本発明はこれに限らず、図７に示した変形例に係る挟持搬送ローラ機構１９０のように、コンベア機構での搬送方向上流側から下流側に向かって、上流側押し出し部材１９３ａ、上流側押し出し部材１９２ａ、下流側押し出し部材１９３ｂ、下流側押し出し部材１９２ｂの順に１つずつ配置しても良い。また、同種の押し出し部材を３個以上のセットにして配置しても良い。
【００５０】
また、上記実施形態では、弾性羽根の密度が異なる押し出し部材を用いて押し出し力を異ならせる例について説明したが、本発明はこれに限らず、押し出し部材の押し出し力を、それに設けられた複数の弾性羽根の材質によって異ならせることも可能である。具体的には、図８に示した変形例に係る挟持搬送ローラ機構２９０のように、弾性羽根の密度（枚数）が同じ押し出し部材を準備し、上流側押し出し部材２９２ａの弾性羽根２９５を、上流側押し出し部材２９３ａの弾性羽根２９６より大きい弾性力を有する材質で構成し、且つ、下流側押し出し部材２９２ｂの弾性羽根２９７を、下流側押し出し部材２９３ｂの弾性羽根２９８より大きい弾性力を有する材質で構成しても良い。この場合、弾性羽根２９５の押し出し力が弾性羽根２９６の押し出し力より大きくなり、且つ、弾性羽根２９７の押し出し力が弾性羽根２９８の押し出し力より大きくなるので、印画紙のコンベア機構での搬送方向下流側に対応する部分に加わるモーメントが、搬送方向上流側に対応する部分に加わるモーメントよりも大きくなって、印画紙を傾けた状態で排出することが可能となる。
【００５１】
また、上記実施形態では、２列の印画紙を搬送するために上流側押し出し部材９２ａ及び９３ａと下流側押し出し部材９２ｂ及び９３ｂとを設ける例について説明したが、本発明はこれに限らず、１枚の印画紙だけを搬送する場合や３枚以上の印画紙を同時に搬送する場合には、各列に押し出し力の異なる押し出し部材を設ければ良い。
【図面の簡単な説明】
【００５２】
【図１】本発明の実施の形態に係る搬送機構を搭載した乾燥部を有する写真処理装置の概略構成図である。
【図２】図１の写真処理装置に備えられた乾燥部の断面図である。
【図３】図２の乾燥部におけるＡ−Ａ線断面図である。
【図４】図２の乾燥部におけるＢ−Ｂ線断面図である。
【図５】乾燥部に搭載された搬送機構の平面図である。
【図６】乾燥部における挟持搬送ローラ機構を示した斜視図である。
【図７】図６に示した挟持搬送ローラ機構の変形例を示した斜視図である。
【図８】図６に示した挟持搬送ローラ機構の変形例を示した斜視図である。
【符号の説明】
【００５３】
１    写真処理装置
２    印画紙（媒体）
５６  コンベア機構
６８  排出口
８０  搬送機構
９０、１９０、２９０  挟持搬送ローラ機構
９０ａ、９０ｂ  回転軸
９１  駆動ローラ
９２、９３  押し出し部材
９２ａ、１９２ａ、２９２ａ  上流側押し出し部材
９２ｂ、１９２ｂ、２９２ｂ  下流側押し出し部材
９３ａ、１９３ａ、２９３ａ  上流側押し出し部材
９３ｂ、１９３ｂ、２９３ｂ  下流側押し出し部材
９４  圧接ローラ
９５、９６  弾性羽根
【図１】
2009107793.tif 000003
【図２】
2009107793.tif 000004
【図３】
2009107793.tif 000005
【図４】
2009107793.tif 000006
【図５】
2009107793.tif 000007
【図６】
2009107793.tif 000008
【図７】
2009107793.tif 000009
【図８】
2009107793.tif 000010